(57)【要約】【課題】メガネのレンズに磁石により係止された装飾体の落下による紛失を防止することができるメガネレンズ用装飾体を提供する。【解決手段】メガネ３のレンズを介して台座２０とレンズ裏面用磁石４０とが磁力により引き合い、台座２０およびレンズ裏面用磁石４０がメガネレンズ上の所定の位置に係止される。装飾体３０が固定された台座２０にはメガネフレームに連結したチェーン部１０が取り付けられており、装飾体３０が落下しても、チェーン部１０を介してメガネフレームに装飾体３０が吊り下げられた状態になり、装飾体３０が紛失されることを防止できる。【選択図】  図１
2009276534.tif 000002
【特許請求の範囲】
【請求項１】
メガネレンズに装着される装飾体であって、
前記メガネレンズの一方の面に係止される台座と、
前記台座に固定された装飾体本体と、
前記メガネレンズの他方の面の前記台座が係止された位置と相対する位置に前記台座との間の磁力によって係止される係止体と、
前記台座に一端が固定され、他端がメガネのフレームに着脱自在に装着される線状体と
を有するメガネレンズ用装飾体。
【請求項２】
前記台座は、ドーナツ形状であり、その中空部内に前記装飾体の一部が埋め込まれている
請求項１に記載のメガネレンズ用装飾体。
【請求項３】
前記装飾体は、チェーンであり、
前記チェーンには、当該チェーンに沿って移動可能に当該チェーンを貫通させた貫通孔を備えた調整部材が取り付けられており、前記調整部材に設けられた係止部に、前記チェーンの一端が取り付けられている
請求項１または請求項２に記載のメガネレンズ用装飾体。
【請求項４】
前記線状体の長さは、３〜１２ｃｍである
請求項１〜３のいずれかに記載のメガネレンズ用装飾体。
【請求項５】
メガネレンズに装着される装飾体であって、
前記メガネレンズの一方の面に係止される台座と、
前記台座に固定された装飾体本体と、
前記台座に第１の線状体を介して連結された第１の部材と、
前記メガネレンズの他方の面の前記台座が係止された位置と相対する位置に前記第１の部材との間の磁力によって係止され第２の部材と、
前記台座に一端が固定され、他端がメガネのフレームに着脱自在に装着される第２の線状体と
を有するメガネレンズ用装飾体。
【請求項６】
メガネレンズに装飾体を装着するために用いられるメガネ用装飾体装着具であって、
前記メガネレンズの一方の面に係止され、前記装飾体が固定される台座と、
前記メガネレンズの他方の面の前記台座が係止された位置と相対する位置に前記台座との間の磁力によって係止され係止体と、
前記台座に一端が固定され、他端がメガネのフレームに着脱自在に装着される線状体と
を有するメガネ用装飾体装着具。
【発明の詳細な説明】
【技術分野】
【０００１】
本発明は、メガネレンズに装着する装飾体に関するものである。
【背景技術】
【０００２】
近年、メガネには機能性に加えて高い装飾性が求められている。
このような要求に応じて、例えば、メガネのフレームに様々な装飾性を持たせること以外に、メガネレンズの任意の位置に磁石により、装飾体を係止させる技術がある（特許文献１）。
この技術は、第１の磁石を両面粘着テープによりメガネレンズの裏面の所望の位置に貼り付け、それに相対するレンズの表面の位置に、装飾物が固定された第２の磁石を回動自在に磁着するものである。
【特許文献１】特開２０００−３１８３９５号公報
【発明の開示】
【発明が解決しようとする課題】
【０００３】
しかしながら、上述した従来のメガネ用装飾体では、装飾体が他の物体に当たったときなどに、上記第１の磁石と第２の磁石との位置がずれて装飾体がメガネレンズから落下し、紛失してしまう可能性があるという問題がある。
【０００４】
本発明はかかる事情に鑑みてなされたものであり、その目的は、メガネのレンズに磁石により係止された装飾体が落下により紛失することを防止することができるメガネレンズ用装飾体およびメガネ用装飾体装着具を提供することにある。
【課題を解決するための手段】
【０００５】
上述した従来の問題点を解決し、上述した目的を達成するために、第１の観点の発明のメガネレンズ装飾体は、メガネレンズに装着される装飾体であって、前記メガネレンズの一方の面に係止される台座と、前記台座に固定された装飾体本体と、前記メガネレンズの他方の面の前記台座が係止された位置と相対する位置に前記台座との間の磁力によって係止される係止体と、前記台座に一端が固定され、他端がメガネのフレームに着脱自在に装着される線状体とを有する。
【０００６】
第１の観点の発明のメガネレンズ装飾体では、前記線状体の他端がメガネのフレームに装着される。また、台座がメガネレンズの一方の面の所望の位置に置かれ、メガネレンズの他方の面の相対する位置に係止体が台座と引き合う姿勢で置かれる。
そして、係止体と台座とが磁力により引き合う力によって台座と係止体がメガネレンズに押し付けられ、それによって生じる摩擦力によって間がメガネレンズ上に台座と係止体が係止される。
ここで、線状体の一端が前記台座に一端が固定され、他端がメガネのフレームに着脱自在に装着される。そのため、前記装飾体が他の物体に当たるなどしてメガネレンズから落下した場合でも、前記装飾体は台座と共に前記線状体によってメガネのフレームに吊り下げられた状態となる。そのため、装飾体を紛失することはない。
【０００７】
好適には、第１の観点の発明のメガネレンズ装飾体の前記台座は、ドーナツ形状であり、その中空部内に前記装飾体の一部が埋め込まれている。
【０００８】
好適には、第１の観点の発明のメガネレンズ装飾体の前記装飾体は、チェーンであり、前記チェーンには、当該チェーンに沿って移動可能に当該チェーンを貫通させた貫通孔を備えた調整部材が取り付けられており、前記調整部材に設けられた係止部に、前記チェーンの一端が取り付けられている。
【０００９】
好適には、第１の観点の発明のメガネレンズ装飾体の前記線状体の長さは、３〜１２ｃｍである。
【００１０】
第２の観点の発明のメガネレンズ装飾体は、メガネレンズに装着される装飾体であって、前記メガネレンズの一方の面に係止される台座と、前記台座に固定された装飾体本体と、前記台座に第１の線状体を介して連結された第１の部材と、前記メガネレンズの他方の面の前記台座が係止された位置と相対する位置に前記第１の部材との間の磁力によって係止され第２の部材と、前記台座に一端が固定され、他端がメガネのフレームに着脱自在に装着される第２の線状体とを有する。
【００１１】
第３の観点の発明のメガネ用装飾体装着具は、メガネレンズに装飾体を装着するために用いられるメガネ用装飾体装着具であって、前記メガネレンズの一方の面に係止され、前記装飾体が固定される台座と、前記メガネレンズの他方の面の前記台座が係止された位置と相対する位置に前記台座との間の磁力によって係止され係止体と、前記台座に一端が固定され、他端がメガネのフレームに着脱自在に装着される線状体とを有する。
【発明の効果】
【００１２】
本発明によれば、メガネのレンズに磁石により係止された装飾体が落下により紛失することを防止することができるメガネレンズ用装飾体およびメガネ用装飾体装着具を提供することができる。
【発明を実施するための最良の形態】
【００１３】
以下、本発明の実施形態に係るメガネ用装飾体について説明する。
＜第１実施形態＞
図１は、本発明の実施形態に係るメガネ用装飾体１の背面の外観図である。図２は図１に示すメガネ用装飾体１の台座２０の装飾体３０が固定された正面と側面の外観を説明するための図である。図３は、図１に示すメガネ用装飾体１をメガネ３に装着した状態の断面構造を説明するための図である。
【００１４】
図１に示すように、メガネ用装飾体１は、例えば、チェーン部１０、台座２０、装飾体３０、レンズ裏面用磁石４０を有する。
ここで、チェーン部１０および台座２０は、例えば、金（Ａｕ）、銀 （Ａｇ）、白金 （Ｐｔ）やその他の金属などで構成される。
【００１５】
ここで、台座２０が本発明の台座の一例であり、装飾体３０が本発明の装飾体本体の一例であり、レンズ裏面用磁石４０が本発明の係止体の一例であり、チェーン部１０が本発明の線状体の一例である。
【００１６】
メガネ用装飾体１は、メガネのレンズの表面に永久磁石からなる台座２０を置き、それに相対するレンズの裏面にレンズ裏面用磁石４０を置くことで、台座２０とレンズ裏面用磁石４０とによってレンズを磁力により挟み込み、レンズ表面の所望の位置に装飾体３０を配置させるものである。
メガネ用装飾体１では、台座２０にチェーン部１０の一端が取り付けられ、チェーン部１０の他端が、メガネのフレームに装着される。そのため、装飾体３０が何らかの衝撃で落下した場合でも、チェーン部１０によって装飾体３０をメガネフレームに吊り下げた状態にすることができ、高価な装飾体３０が紛失することを防止できる。
【００１７】
以下、メガネ用装飾体１の各構成要素について詳細に説明する。
図１および図２に示すように、チェーン部１０の一端は、台座２０の外周面に形成されたリング状の係止具２２に係止されており、他端が球状のボール１２に設けられたリング状の係止具１４に係止されている。
チェーン部１０は、例えば、金属や合成樹脂などで形成されている。
チェーン部１０の長さは、例えば、約３〜１２ｃｍであり、好適には約６ｃｍである。チェーン部１０の長さは、レンズ上に装飾体３０を配置する自由度と、チェーン部１０が垂れ下がる長さへの要求に応じて決定される。
【００１８】
ボール１２は中心点を通る貫通孔１２ａを有し、この貫通孔１２ａにチェーン部１０が移動可能な状態で貫通している。
ボール１２は、係止具１４とボール１２の貫通孔１２ａとの間に位置するチェーン部１０の一部によって形成されるリングの大きさを調整するために用いられる。当該リングは、メガネのフレームに装着される。
指などでボール１２をチェーン部１０に沿って移動させて台座２０に近づけると上記リングが大きくなり、係止具１４に近づけると上記リングが小さくなる。
ユーザは、指などでボール１２をチェーン部１０に沿って移動させて上記リングを大きくした状態で、当該リング内にメガネのフレームに通し、図４に示すように、フレーム３のレンズ側の所定位置で上記リングを小さくする。これにより、フレーム３からチェーン部１０が容易に外れないようにすることができる。
【００１９】
台座２０は、例えば、略ドーナッツ形状であり、外周面の所定箇所に係止具２２が固定されている。
台座２０の外周面には、周方向に沿って等間隔に４箇所にダイヤモンドである装飾体３０を係止するツメ（爪）２４ａ，２４ｂ，２４ｃ，２４ｄが設けられている。
ツメ２４ａの側面には係止具２２が設けられている。台座２０の厚みは例えば約１ｍｍである。
【００２０】
ダイヤモンドは、通常、略円錐体にカットされるため、頂点側を台座２０の開口部に嵌めこむことで、台座２０および装飾体３０の総厚みを薄くでき、優れたデザインが得られる。
なお、本実施形態では、装飾体３０としてのダイヤモンドを４箇所のツメ２４ａ，２４ｂ，２４ｃ，２４ｄで係止する場合を例示したが、４箇所以外の複数個所のツメで形成してもよい。また、装飾体３０はダイヤモンド以外であってもよいし、装飾体３０の種類に応じて台座２０に装飾体３０を係止させる構造は適宜決定される。
【００２１】
台座２０の内部には、永久磁石が組み込まれている。また、台座２０自体を永久磁石で形成してもよい。
【００２２】
レンズ裏面用磁石４０は、永久磁石であり、例えば、台座２０と略同じ外径の円盤形状をしている。
【００２３】
以下、メガネのフレーム３へのメガネ用装飾体１の装着方法を説明する。
ユーザは、前述したように、指などでボール１２をチェーン部１０に沿って移動させて上記リングを大きくした状態で、リングの開口部にメガネのフレーム３に通し、図４に示すように、フレーム３のレンズ側の所定位置で上記リングを小さくする。これにより、チェーン部１０の一端がメガネのフレーム３に取り付ける。
【００２４】
次にユーザは、図３および図４に示すように、台座２０を装飾体３０が表側に位置するようにメガネのレンズ７０の表面の所望の位置に置き、それを保持した状態で、レンズ裏面用磁石４０の台座２０との間で引き合う方向に磁力が働く面を、メガネのレンズ７０の裏面の相対する位置に置く。具体的には、台座２０のレンズ表面に接合される面がＳ極の場合にはレンズ裏面用磁石４０のＮ極の面をレンズ裏面に接合する。一方、台座２０のレンズ表面に接合される面がＮ極の場合にはレンズ裏面用磁石４０のＳ極の面をレンズ裏面に接合する。
【００２５】
これにより、メガネのレンズ７０を介して台座２０とレンズ裏面用磁石４０とが磁力により引き合い、台座２０とレンズ表面との間、並びにレンズ裏面用磁石４０とレンズ裏面との間に、それぞれ台座２０およびレンズ裏面用磁石４０の位置を重力に抗して保持するのに十分な摩擦力が発生する。
【００２６】
上述したメガネ用装飾体１では、メガネのレンズ７０に装着された状態で、例えば装飾体３０が何かに接触してレンズ７０から落ちた場合に、装飾体３０を固定した台座２０にチェーン部１０が取り付けられているため、装飾体３０は図５に示すようにフレーム７に吊り下げられた状態になり、メガネのフレーム３から装飾体３０が落下して紛失してしまうことはない。
【００２７】
また、メガネ用装飾体１は、図１等に示すようにデザイン性を有しており、装飾体３０と一体となって優れたデザインを提供できる。
【００２８】
＜第２実施形態＞
上述した第１実施形態では、ドーナツ形状の台座２０にダイヤモンドである装飾体３０を固定した場合を例示したが、本実施形態では、台座にダイヤモンド以外の装飾体を固定する場合を例示する。
図６は、本発明の第２実施形態のメガネ用装飾体１０１を説明するための断面図である。
図６に示すように、メガネ用装飾体１０１は、例えば、円盤状の磁石を台座１２０として用いる。
台座１２０の外周面の所定箇所に係止具１２２が固定されている。係止具１２２には第１実施形態と同様に、メガネのフレーム３に装着されたチェーン部１０の一端が取り付けられている。
【００２９】
台座１２０の一方の面には両面接着シート８２が貼り付けられており、両面接着シート８２の台座１２０とは反対側の面には、装飾体を構成するオブジェクト８４が貼り付けられている。
【００３０】
メガネ用装飾体１０１によっても、第１実施形態のメガネ用装飾体１と同様に、台座１２０とレンズ裏面用磁石４０との間の磁力により、メガネのレンズ７０に装飾体３０を係止できる。
【００３１】
＜第３実施形態＞
図７は、本発明の第３実施形態のメガネ用装飾体２０１を説明するための断面図である。
上述した実施形態では、台座２０，１２０として永久磁石を用いたが、台座２２０として永久磁石以外の金属あるいは樹脂などを材料とするものを用いる。
台座２２０には、内部に永久磁石２１２が組み込まれている。
台座２２０の一方の面には、第１および第２実施形態と同様に、装飾体が固定されている。
【００３２】
＜第４実施形態＞
図８は、本発明の第４実施形態のメガネ用装飾体３０１を説明するための断面図である。
上述した実施形態では、台座の機能と永久磁石の機能とを一つのモジュールによって実現した場合を例示したが、本実施形態では、これらの機能を異なるモジュールで実現している。
【００３３】
図８に示すように、メガネ用装飾体３０１は、円盤状の台座３２０に装飾体３０を固定している。台座３２０は、永久磁石ではなく、金属あるいは樹脂などで構成される。
この台座３２０には、チェーン３１２を介して永久磁石３２４が連結されている。
【００３４】
メガネ用装飾体３０１では、メガネのレンズ７０の相対する位置において、永久磁石３２４とレンズ裏面用磁石４０とが磁力によって引き合ってレンズ７０の表面に装飾体３０を係止できる。
【００３５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３６】
上述した実施形態では、レンズ裏面用磁石４０をメガネ３のレンズ７０の裏面の任意の位置に配置できる場合を例示したが、レンズ裏面用磁石４０を両面接着テープなどによってレンズ７０の裏面の所定の位置に固定してもよい。
【００３７】
また、上述した実施形態では、チェーン部１０をメガネ３のフレームに装着する手段として図１に示すボール１２を例示したが、その他に、図９に示すように、リング状のシリコン部材４０３にドーナツ状の調整部材４０５を通した構造にしてもよい。
図９に示す構造によれば、ユーザが指など調整部材４０５の位置を図中矢印の向きに移動して、シリコン部材４０３と調整部材４０５によって形成される輪の大きさを調整する。
また、チェーン部１０とメガネ３のフレームとを、凹凸により嵌め合形式で連結してもよい。
【００３８】
また、上述した実施形態ではレンズ裏面用磁石４０には装飾性を持たせなかったが、レンズ裏面用磁石４０にも装飾性を持たせてもよい。
また、台座２０とレンズ裏面用磁石４０とで構成される組を複数用いてもよい。
【００３９】
また、上述した実施形態で台座２０をドーナツ状に形成した場合を例示したが、これはドーナツ状以外の形状であってもよい。
【００４０】
また、上述した実施形態において台座２０などに装飾体３０を、上記特許公開公報に示されるように回転可能に固定してもよい。
【００４１】
また、上述した実施形態では、台座およびレンズ裏面用磁石４０の双方に永久磁石を用いた場合を例示したが、何れか一方を永久磁石とし、他方を強磁性体としてもよい。
【産業上の利用可能性】
【００４２】
本発明は、メガネレンズに装飾体を装着する場合に適用可能である。
【図面の簡単な説明】
【００４３】
【図１】図１は、本発明の実施形態に係るメガネ用装飾体の背面の外観図である。
【図２】図２は図１に示すメガネ用装飾体１の台座の装飾体が固定された正面と側面の外観を説明するための図である。
【図３】図３は、図１に示すメガネ用装飾体をメガネに装着した状態の断面構造を説明するための図である。
【図４】図４は、図１に示すメガネ用装飾体をメガネに装着した状態を説明するための図である。
【図５】図５は、図４に示す状態から装飾体３０が落下した状態を説明するための図である。
【図６】図６は、本発明の第２実施形態のメガネ用装飾体を説明するための断面図である。
【図７】図７は、本発明の第３実施形態のメガネ用装飾体を説明するための断面図である。
【図８】図８は、本発明の第４実施形態のメガネ用装飾体を説明するための断面図である。
【図９】図９は、チェーン部をメガネのフレームに装着するその他の手段を説明するための図である。
【符号の説明】
【００４４】
１…メガネ用装飾体
３…メガネ
１０…チェーン部
２０，１２０，２２０，３２０…台座
１２…ボール（リング大きさ調整用）
２４ａ，２４ｂ，２４ｃ，２４ｄ…ツメ
３０…装飾体（ダイヤモンド）
４０…レンズ裏面用磁石
８２…両面接着シート
８４…装飾体
３２４…永久磁石
４０３…シリコン部材
４０５…調整部材
【図１】
2009276534.tif 000003
【図２】
2009276534.tif 000004
【図３】
2009276534.tif 000005
【図４】
2009276534.tif 000006
【図５】
2009276534.tif 000007
【図６】
2009276534.tif 000008
【図７】
2009276534.tif 000009
【図８】
2009276534.tif 000010
【図９】
2009276534.tif 000011